(57)【特許請求の範囲】
【請求項１】
系統の受電点に共通に接続された自然エネルギー発電システムおよび複数の二次電池の充放電システムと、前記二次電池の充放電システムの充放電制御を行う系統安定化装置とを備えた系統連系システムにおいて、
前記複数の二次電池の充放電システムは、自動制御モードで運転される自動制御モード号機と、充電リセットモード又は手動充電モード又は手動放電モードのいずれかで運転される号機とを備え、
前記系統安定化装置は、
前記系統の受電点における受電点電力指令値と受電点電力検出値の偏差をＰＩ演算して自動制御モード号機の補正前充放電電力指令値を求め、その補正前の充放電電力指令値を充電電力指令値の下限リミッタ値から放電電力指令値の上限リミッタ値の間に制限するリミッタを通して自動制御モード号機の充放電電力指令値を得、その充放電電力指令値によって、前記自動制御モード号機を制御する自動制御系を有し、
前記自然エネルギー発電システムの電力検出値、前記上限リミッタ値および前記手動放電モード号機への手動放電指令値の合計値に基づいて、前記充電リセットモード号機へのリセット充電電力の最大上限値を演算する二次電池の充電リセット電力許容値演算部と、
前記自然エネルギー発電システムの電力検出値、前記上限リミッタ値、前記演算されたリセット充電電力の最大上限値および前記手動放電モード号機への手動放電指令値の合計値に基づいて、前記手動充電モード号機への手動充電電力の最大上限値を演算する二次電池の手動充電電力許容値演算部と、
前記自然エネルギー発電システムの電力検出値、前記手動放電モード号機への手動放電指令値、前記演算されたリセット充電電力の最大上限値および前記演算された手動充電電力の最大上限値を加算して受電点電力予測合計値を演算する受電点電力予測合計値演算部と、
充電時受電点最小電力設定値と前記演算された受電点電力予測合計値の偏差をとって自動制御モード号機の充放電電力補正加算指令値を演算する充放電電力補正加算指令値演算部と、
前記演算された受電点電力予測合計値が前記充電時受電点最小電力設定値以下のときに、前記演算された充放電電力補正加算指令値を前記自動制御系の補正前充放電電力指令値に加算する加算部と、
を備えていることを特徴とする系統連系システム。
【請求項２】
前記系統安定化装置は、前記受電点電力検出値から前記複数の二次電池の充放電システムの各号機の電力検出値を減算することにより前記自然エネルギー発電システムの電力検出値を得る電力検出値取得部を備えたことを特徴とする請求項１に記載の系統連系システム。
【請求項３】
前記自然エネルギー発電システムはＰＶ発電システムであることを特徴とする請求項１又は２に記載の系統連系システム。
【請求項４】
前記二次電池の充放電システムはＮＡＳ電池（登録商標）システムであることを特徴とする請求項１ないし３のいずれか１項に記載の系統連系システム。
【請求項５】
系統の受電点に共通に接続された自然エネルギー発電システムおよび複数の二次電池の充放電システムと、前記二次電池の充放電システムの充放電制御を行う系統安定化装置とを備え、
前記複数の二次電池の充放電システムは、自動制御モードで運転される自動制御モード号機と、充電リセットモード又は手動充電モード又は手動放電モードのいずれかで運転される号機とを備え、
前記系統安定化装置は、前記系統の受電点における受電点電力指令値と受電点電力検出値の偏差をＰＩ演算して自動制御モード号機の補正前充放電電力指令値を求め、その補正前の充放電電力指令値を充電電力指令値の下限リミッタ値から放電電力指令値の上限リミッタ値の間に制限するリミッタを通して自動制御モード号機の充放電電力指令値を得、その充放電電力指令値によって、前記自動制御モード号機を制御する自動制御系を有した系統連系システムの制御方法であって、
前記系統安定化装置の二次電池の充電リセット電力許容値演算部が、前記自然エネルギー発電システムの電力検出値、前記上限リミッタ値および前記手動放電モード号機への手動放電指令値の合計値に基づいて、前記充電リセットモード号機へのリセット充電電力の最大上限値を演算するステップと、
前記系統安定化装置の二次電池の手動充電電力許容値演算部が、前記自然エネルギー発電システムの電力検出値、前記上限リミッタ値、前記演算されたリセット充電電力の最大上限値および前記手動放電モード号機への手動放電指令値の合計値に基づいて、前記手動充電モード号機への手動充電電力の最大上限値を演算するステップと、
前記系統安定化装置の受電点電力予測合計値演算部が、前記自然エネルギー発電システムの電力検出値、前記手動放電モード号機への手動放電指令値、前記演算されたリセット充電電力の最大上限値および前記演算された手動充電電力の最大上限値を加算して受電点電力予測合計値を演算するステップと、
前記系統安定化装置の充放電電力補正加算指令値演算部が、充電時受電点最小電力設定値と前記演算された受電点電力予測合計値の偏差をとって自動制御モード号機の充放電電力補正加算指令値を演算するステップと、
前記系統安定化装置の加算部が、前記演算された受電点電力予測合計値が前記充電時受電点最小電力設定値以下のときに、前記演算された充放電電力補正加算指令値を前記自動制御系の補正前充放電電力指令値に加算するステップと、
を備えたことを特徴とする系統連系システムの制御方法。
【請求項６】
前記系統安定化装置の電力検出値取得部が、前記受電点電力検出値から前記複数の二次電池の充放電システムの各号機の電力検出値を減算することにより前記自然エネルギー発電システムの電力検出値を得るステップを備えたことを特徴とする請求項５に記載の系統連系システムの制御方法。
【請求項７】
前記自然エネルギー発電システムはＰＶ発電システムであることを特徴とする請求項５又は６に記載の系統連系システムの制御方法。
【請求項８】
前記二次電池の充放電システムはＮＡＳ電池システムであることを特徴とする請求項５ないし７のいずれか１項に記載の系統連系システムの制御方法。
【発明の詳細な説明】
【技術分野】
【０００１】
本発明は、天候条件により発電量が変動する不安定な電源である自然エネルギー発電を安定した電源に変化させる系統安定化装置を備えた系統連系システムにおいて、系統側からの充電を防止する制御方式に関する。
【背景技術】
【０００２】
自然エネルギーを適用するＰＶ（Ｐｈｏｔｏ  Ｖｏｌｔａｉｃｓ）発電システムや風力発電システムなどの発電システムは、天候により発電出力が変動するため、ＮＡＳ電池（登録商標：電力貯蔵用ナトリウム−硫黄電池）などの二次電池を充放電システムに利用して、系統側への出力変動を抑制することができる。その系統連系システムの代表構成を図８に示す。
【０００３】
図８において、一次側が上位の系統に接続された変圧器Ｔの二次側には、自然エネルギー発電システム、例えばＰＶ発電システム１００と、二次電池の充放電システム、例えばＮＡＳ電池システム２００のＮＯ．１号機２００ａ、ＮＯ．２号機２００ｂ、ＮＯ．３号機２００ｃが共通に接続されている。
【０００４】
３００はＮＡＳ電池システム２００の各号機２００ａ，２００ｂ，２００ｃの充放電を制御してＰＶ発電システム１００を安定した電源とする系統安定化装置である。２３は受電点の電力を検出する電力検出器である。
【０００５】
前記ＰＶ発電システム１００は、太陽電池１０が発電する直流電力をＤＣ／ＡＣ変換器１２によって交流電力に変換する。前記ＮＡＳ電池システムの各号機２００ａ，２００ｂ，２００ｃは、ＮＡＳ電池１１ａ，１１ｂ，１１ｃの直流電力をＤＣ／ＡＣ変換器１２ａ，１２ｂ，１２ｃによって交流電力に変換する。１３ａ，１３ｂ，１３ｃは前記各号機２００ａ，２００ｂ，２００ｃの電力を検出する電力検出器である。
【０００６】
系統安定化装置３００は、電力検出器２３によって検出された受電点電力検出値Ｐ_ｌｉｎｅ_ｄｅｔと、電力検出器１３ａ，１３ｂ，１３ｃによって各々検出されたＮＡＳ電池システムの各号機２００ａ，２００ｂ，２００ｃの電力検出値Ｐ１_ｄｅｔ，Ｐ２_ｄｅｔ，Ｐ３_ｄｅｔとを取り込み、各号機２００ａ，２００ｂ，２００ｃへ電力指令値Ｐ１_ｒｅｆ，Ｐ２_ｒｅｆ，Ｐ３_ｒｅｆを送って各号機の充放電制御を行うことにより、受電点電力（Ｐ_ｌｉｎｅ_ｄｅｔ）を制御する。
【０００７】
前記各ＮＡＳ電池システムの運転モードには、（Ｍ１）充電リセットモード、（Ｍ２）手動充電モード、（Ｍ３）手動放電モード、（Ｍ４）自動制御モードがある。ＮＡＳ電池などの二次電池では、低い充電状態（Ｓｔａｔｅ  ｏｆ  Ｃｈａｒｇｅ：ＳＯＣ）の待機状態において寿命劣化や効率低下が発生する。このため実際の電池とのＳＯＣの誤差を校正するために満充電リセットを行い、容量計リセットを行う必要がある。この運転モードが（Ｍ１）充電リセットモードである。
【０００８】
ＮＡＳ電池の設置は運用面の効率を上げるため複数台設置されるが、メンテナンスや電池寿命の保守からＮＡＳ電池の充放電を強制的に操作することなどがあり、複数台のＮＡＳ電池間での異なる運転モードによる充放電制御が混在する場合がある。
【０００９】
＜例１＞  ＮＯ．１号機：Ｍ１充電リセットモード、ＮＯ．２号機：Ｍ２手動充電モード、ＮＯ．３号機：Ｍ４自動制御モード
＜例２＞  ＮＯ．１号機：Ｍ１充電リセットモード、ＮＯ．２号機：Ｍ３手動放電モード、ＮＯ．３号機：Ｍ４自動制御モード
上記例の場合、ＮＯ．１号機２００ａが自号機の充電リセット制御、ＮＯ．２号機２００ｂが自号機の手動充電制御（例１）または手動放電制御（例２）を行いつつ、ＮＯ．３号機２００ｃが系統の受電点電力の制御を行う。
【００１０】
従来、この受電点電力の制御は、例えば図９に示す制御ブロックによるフィードバック制御がなされていた。図９において３０１は、前記電力検出器２３により検出された受電点電力検出値Ｐ_ｌｉｎｅ_ｄｅｔと受電点電力指令値Ｐ_ｌｉｎｅ_ｒｅｆとの偏差をとる減算器であり、３０２は減算器３０１の偏差出力をＰＩ演算して自動制御号機の補正前充放電電力指令値Ｐ_ａｕｔｏ_ｒｅｆ_ｂｅｆｏｒｅを出力するＰＩ演算器である。
【００１１】
この補正前充放電電力指令値Ｐ_ａｕｔｏ_ｒｅｆ_ｂｅｆｏｒｅは、リミッタ３０３によって、充電電力指令値の下限リミッタ値Ｐｍｉｎから放電電力指令値の上限リミッタ値Ｐｍａｘの間に制限され、ＮＡＳ電池システム２００の自動制御モード号機の充放電電力指令値Ｐ_ａｕｔｏ_ｒｅｆが制御演算される。
【００１２】
ＮＡＳ電池システム２００には、放電可能最大電力（放電電力指令値の上限リミッタ値Ｐｍａｘ）および充電可能最小電力（充電電力指令値の下限リミッタ値Ｐｍｉｎ）があるので、図１０に示す制限機能を有したリミッタ３０３によって充放電電力指令値Ｐ_ａｕｔｏ_ｒｅｆを制限している。図１０では放電方向を極性＋としている。
【００１３】
尚、従来の系統安定化装置としては例えば特許文献１に記載のものが提案されている。
【先行技術文献】
【特許文献】
【００１４】
【特許文献１】特開２００７−１３５３５５号公報
【発明の概要】
【発明が解決しようとする課題】
【００１５】
図８の構成において、複数台のＮＡＳ電池システム間で異なる運転モードで制御されている場合、ＰＶ発電システム１００の発電電力が低下してきた場合に、系統側からＮＡＳ電池システムへの充電操作が発生することがある。すなわち系統側からの充電は変電所においては買電を意味することになり発電所の価値を下げるため、系統充電を防止する対策が必要となる。
【００１６】
従来の制御技術では、受電点電力の充電電力が設定された充電許容値を超えたことを検出してからＮＡＳ電池（１１ａ，１１ｂ，１１ｃ）の充放電量を制御していたが、制御応答の遅れによって、以下のような問題があった。
【００１７】
系統受電点電力を検出してから自動制御モード号機のＮＡＳ電池の充放電制御を行うため、応答時間の遅れにより系統受電点電力が急変動することがある。この場合、系統充電の時間（すなわち買電の時間）が発生することがある。
【００１８】
図１１に、ＰＶ発電電力低下時の受電点電力Ｐ_ｌｉｎｅ_ｄｅｔ変動の例を示す。図１１において、（ａ）はＰＶ発電電力、（ｂ）は受電点電力を示しており、Ｐ_ｌｉｎｅ_ｄｅｔ＜０の領域で買電となっている。
【００１９】
本発明は上記課題を解決するものであり、その目的は、受電点電力の急変動を抑制して買電を回避、もしくは買電電力・買電時間を抑制することができる系統連系システムおよびその制御方法を提供することを目的としている。
【課題を解決するための手段】
【００２０】
上記課題を解決するための請求項１記載の系統連系システムは、系統の受電点に共通に接続された自然エネルギー発電システムおよび複数の二次電池の充放電システムと、前記二次電池の充放電システムの充放電制御を行う系統安定化装置とを備えた系統連系システムにおいて、前記複数の二次電池の充放電システムは、自動制御モードで運転される自動制御モード号機と、充電リセットモード又は手動充電モード又は手動放電モードのいずれかで運転される号機とを備え、前記系統安定化装置は、前記系統の受電点における受電点電力指令値と受電点電力検出値の偏差をＰＩ演算して自動制御モード号機の補正前充放電電力指令値を求め、その補正前の充放電電力指令値を充電電力指令値の下限リミッタ値から放電電力指令値の上限リミッタ値の間に制限するリミッタを通して自動制御モード号機の充放電電力指令値を得、その充放電電力指令値によって、前記自動制御モード号機を制御する自動制御系を有し、前記自然エネルギー発電システムの電力検出値、前記上限リミッタ値および前記手動放電モード号機への手動放電指令値の合計値に基づいて、前記充電リセットモード号機へのリセット充電電力の最大上限値を演算する二次電池の充電リセット電力許容値演算部と、前記自然エネルギー発電システムの電力検出値、前記上限リミッタ値、前記演算されたリセット充電電力の最大上限値および前記手動放電モード号機への手動放電指令値の合計値に基づいて、前記手動充電モード号機への手動充電電力の最大上限値を演算する二次電池の手動充電電力許容値演算部と、前記自然エネルギー発電システムの電力検出値、前記手動放電モード号機への手動放電指令値、前記演算されたリセット充電電力の最大上限値および前記演算された手動充電電力の最大上限値を加算して受電点電力予測合計値を演算する受電点電力予測合計値演算部と、充電時受電点最小電力設定値と前記演算された受電点電力予測合計値の偏差をとって自動制御モード号機の充放電電力補正加算指令値を演算する充放電電力補正加算指令値演算部と、前記演算された受電点電力予測合計値が前記充電時受電点最小電力設定値以下のときに、前記演算された充放電電力補正加算指令値を前記自動制御系の補正前充放電電力指令値に加算する加算部と、を備えていることを特徴としている。
【００２１】
また請求項５記載の系統連系システムの制御方法は、系統の受電点に共通に接続された自然エネルギー発電システムおよび複数の二次電池の充放電システムと、前記二次電池の充放電システムの充放電制御を行う系統安定化装置とを備え、前記複数の二次電池の充放電システムは、自動制御モードで運転される自動制御モード号機と、充電リセットモード又は手動充電モード又は手動放電モードのいずれかで運転される号機とを備え、前記系統安定化装置は、前記系統の受電点における受電点電力指令値と受電点電力検出値の偏差をＰＩ演算して自動制御モード号機の補正前充放電電力指令値を求め、その補正前の充放電電力指令値を充電電力指令値の下限リミッタ値から放電電力指令値の上限リミッタ値の間に制限するリミッタを通して自動制御モード号機の充放電電力指令値を得、その充放電電力指令値によって、前記自動制御モード号機を制御する自動制御系を有した系統連系システムの制御方法であって、前記系統安定化装置の二次電池の充電リセット電力許容値演算部が、前記自然エネルギー発電システムの電力検出値、前記上限リミッタ値および前記手動放電モード号機への手動放電指令値の合計値に基づいて、前記充電リセットモード号機へのリセット充電電力の最大上限値を演算するステップと、前記系統安定化装置の二次電池の手動充電電力許容値演算部が、前記自然エネルギー発電システムの電力検出値、前記上限リミッタ値、前記演算されたリセット充電電力の最大上限値および前記手動放電モード号機への手動放電指令値の合計値に基づいて、前記手動充電モード号機への手動充電電力の最大上限値を演算するステップと、前記系統安定化装置の受電点電力予測合計値演算部が、前記自然エネルギー発電システムの電力検出値、前記手動放電モード号機への手動放電指令値、前記演算されたリセット充電電力の最大上限値および前記演算された手動充電電力の最大上限値を加算して受電点電力予測合計値を演算するステップと、前記系統安定化装置の充放電電力補正加算指令値演算部が、充電時受電点最小電力設定値と前記演算された受電点電力予測合計値の偏差をとって自動制御モード号機の充放電電力補正加算指令値を演算するステップと、前記系統安定化装置の加算部が、前記演算された受電点電力予測合計値が前記充電時受電点最小電力設定値以下のときに、前記演算された充放電電力補正加算指令値を前記自動制御系の補正前充放電電力指令値に加算するステップと、を備えたことを特徴としている。
【００２２】
上記構成によれば、受電点電力予測合計値が充電時受電点最小電力設定値以下のときに、自動制御モード号機の充放電電力指令値が増加方向に補正されて充放電電力が放電方向に急増するので、例えば日射量低減による自然エネルギー発電システムの減少電力を補充することができ、受電点電力の急変動を抑制させることができる。これによって買電を回避、もしくは買電電力・買電時間を抑制させることができる。
【００２３】
また請求項２記載の系統連系システムは、前記系統安定化装置は、前記受電点電力検出値から前記複数の二次電池の充放電システムの各号機の電力検出値を減算することにより前記自然エネルギー発電システムの電力検出値を得る電力検出値取得部を備えたことを特徴としている。
【００２４】
また請求項６記載の系統連系システムの制御方法は、前記系統安定化装置の電力検出値取得部が、前記受電点電力検出値から前記複数の二次電池の充放電システムの各号機の電力検出値を減算することにより前記自然エネルギー発電システムの電力検出値を得るステップを備えたことを特徴としている。
【００２５】
上記構成によれば、自然エネルギー発電システムの発電電力を検出する検出器を省略することができ、装置コストが低減される。
【００２６】
また請求項３に記載の系統連系システムおよび請求項７に記載の系統連系システムの制御方法は、前記自然エネルギー発電システムはＰＶ発電システムであることを特徴としている。
【００２７】
また請求項４に記載の系統連系システムおよび請求項８に記載の系統連系システムの制御方法は、前記二次電池の充放電システムはＮＡＳ電池システムであることを特徴としている。
【発明の効果】
【００２８】
（１）請求項１〜８に記載の発明によれば、例えば日射量の急低下などによって生じる受電点電力の急変動を抑制させることができ、これによって買電を回避、もしくは買電電力・買電時間を抑制させることができる。
（２）請求項２，６に記載の発明によれば、自然エネルギー発電システムの発電電力を検出する検出器を省略することができ、装置コストが低減される。
【図面の簡単な説明】
【００２９】
【図１】本発明の実施形態例による系統連系システムの構成図。
【図２】本発明の実施形態例による自動制御モード号機の制御ブロック図。
【図３】本発明の実施形態例による充電リセットモード号機の制御ブロック図。
【図４】本発明の実施形態例による手動充電モード号機の制御ブロック図。
【図５】本発明の実施形態例による手動放電モード号機の制御ブロック図。
【図６】本発明の実施例４による系統連系システムの構成図。
【図７】本発明の実施形態例による受電点電力変動の抑制状態を表し、（ａ）はＰＶ発電電力の特性図、（ｂ）は受電点電力の特性図。
【図８】従来の系統連系システムの構成図。
【図９】従来の受電点電力制御における制御ブロック図。
【図１０】図９のリミッタの機能を表す特性図。
【図１１】従来の制御方式による受電点電力変動の状態を表し、（ａ）はＰＶ発電電力の特性図、（ｂ）は受電点電力の特性図。
【発明を実施するための形態】
【００３０】
以下、図面を参照しながら本発明の実施の形態を説明するが、本発明は下記の実施形態例に限定されるものではない。
【実施例１】
【００３１】
図１はＮＡＳ電池システムを３台（ＮＯ．１号機２００ａ、ＮＯ．２号機２００ｂ、ＮＯ．３号機２００ｃ）備えた実施形態例の系統連系システムの構成を示している。
【００３２】
本実施例１では、受電点電力Ｐ_ｌｉｎｅ_ｄｅｔを電力検出器２３によって計測し、各ＮＡＳ電池システム（２００ａ，２００ｂ，２００ｃ）の電力（Ｐ１_ｄｅｔ，Ｐ２_ｄｅｔ，Ｐ３_ｄｅｔ）を電力検出器１３ａ，１３ｂ，１３ｃによって計測し、ＰＶ発電システム１００の電力Ｐ_ｓｕｎ_ｄｅｔを電力検出器１３によって計測し、それら計測値に基づいて、系統安定化装置３６０が各ＮＡＳ電池システム（２００ａ，２００ｂ，２００ｃ）の充放電制御を行うことにより、受電点電力Ｐ_ｌｉｎｅ_ｄｅｔを制御する。
【００３３】
図１において図８と同一部分は同一符号をもって示している。各ＮＡＳ電池システム号機（２００ａ，２００ｂ，２００ｃ）の運転モードは、（Ｍ１）充電リセットモード、（Ｍ２）手動充電モード、（Ｍ３）手動放電モード、（Ｍ４）自動制御モードより選択する。
【００３４】
ただし、１台は（Ｍ４）自動制御モードを選択し、残り２台は（Ｍ１）充電リセットモード、（Ｍ２）手動充電モード、（Ｍ３）手動放電モードより選択する。
【００３５】
系統安定化装置３６０内の、（Ｍ４）自動制御モード号機の制御ブロックを図２に示す。図中の破線で示すｘが、図９の従来方式から追加した制御ブロック部であり、図９と同一部分は同一符号をもって示している。
【００３６】
以下に、図２における各パラメータ値と動作を説明する（各パラメータ値の極性は、放電方向を＋とする）。
【００３７】
・Ｐ_ｌｉｎｅ_ｒｅｆ：受電点電力指令値
・Ｐ_ｌｉｎｅ_ｄｅｔ：電力検出器２３によって検出された受電点電力検出値
・Ｐ_ａｕｔｏ_ｒｅｆ_ｂｅｆｏｒｅ：Ｐ_ｌｉｎｅ_ｒｅｆとＰ_ｌｉｎｅ_ｄｅｔの差分をＰＩ演算して算出した、補正前の自動制御モード号機の充放電電力指令値
・Ｐｍａｘ：各号機への放電電力指令値（極性：＋）の上限リミッタ値
・Ｐｍｉｎ：各号機への充電電力指令値（極性：−）の下限リミッタ値
・Ｐ_ｓｕｎ_ｄｅｔ：電力検出器１３によって検出されたＰＶ発電システム１００の電力検出値
・Ｐｍａｎ_ｄｉｓ：手動放電モード号機への手動放電指令値（手動放電モード号機がない場合は、Ｐｍａｎ_ｄｉｓ＝０とする）。
【００３８】
・Ｐｒｅｓ_ｌｉｍｉｔ：ＮＡＳ充電リセット電力許容値（Ｍ１充電リセットモード号機への、リセット充電電力の最大上限値であり、充電リセットモード号機がない場合は、Ｐｒｅｓ_ｌｉｍｉｔ＝０となる）。
【００３９】
このＰｒｅｓ_ｌｉｍｉｔは下式により計算する。  
【００４０】
Ｐｒｅｓ_ｌｉｍｉｔ０＝−Ｐ_ｓｕｎ_ｄｅｔ−Ｐｍａｘ−Ｐｍａｎ_ｄｉｓ…（１）（Ｐｒｅｓ_ｌｉｍｉｔ０はＰｒｅｓ_ｌｉｍｉｔのデフォルト値）
すなわち、ＰＶ発電システム１００の電力検出値Ｐ_ｓｕｎ_ｄｅｔ、各号機への放電電力指令値の上限リミッタ値Ｐｍａｘおよび手動放電モード号機への手動放電指令値Ｐｍａｎ_ｄｉｓの合計により求められる（尚充電モード（充電方向）であるため極性として「−」が各々付加されている。）。
【００４１】
ただし、ＮＡＳ電池システムには充電電電力許容範囲（Ｐｍｉｎ〜０）があるので、リミッタ３０３ａａ（ｌｉｍｉｔｅｒ１）を設けている。すなわち、
Ｐｒｅｓ_ｌｉｍｉｔ０≧Ｐｍｉｎの場合、Ｐｒｅｓ_ｌｉｍｉｔ＝Ｐｒｅｓ_ｌｉｍｉｔ０＝−Ｐ_ｓｕｎ_ｄｅｔ−Ｐｍａｘ−Ｐｍａｎ_ｄｉｓである。
【００４２】
これに対してＰｒｅｓ_ｌｉｍｉｔ０＜Ｐｍｉｎの場合はＰｒｅｓ_ｌｉｍｉｔ＝Ｐｍｉｎとする。
【００４３】
・Ｐｍａｎ_ｌｉｍｉｔ：手動充電の電力許容値（Ｍ２手動充電モード号機への、手動充電電力の最大上限値であり、手動充電モード号機がない場合は、Ｐｍａｎ_ｌｉｍｉｔ＝０となる）。
【００４４】
このＰｍａｎ_ｌｉｍｉｔは下式により計算する。  
【００４５】
Ｐｍａｎ_ｌｉｍｉｔ０＝−Ｐ_ｓｕｎ_ｄｅｔ−Ｐｍａｘ−Ｐｒｅｓ_ｌｉｍｉｔ−Ｐｍａｎ_ｄｉｓ…（２）（Ｐｍａｎ_ｌｉｍｉｔ０はＰｍａｎ_ｌｉｍｉｔのデフォルト値）
すなわち、ＰＶ発電システム１００の電力検出値Ｐ_ｓｕｎ_ｄｅｔ、各号機への放電電力指令値の上限リミッタ値Ｐｍａｘ、前記リセット充電電力の最大上限値Ｐｒｅｓ_ｌｉｍｉｔおよび手動放電モード号機への手動放電指令値Ｐｍａｎ_ｄｉｓの合計により求められる（尚充電モード（充電方向）であるため極性として「−」が各々付加されている。）。
【００４６】
ただし、ＮＡＳ電池システムには充電電力許容範囲（Ｐｍｉｎ〜０）があるので、リミッタ３０３ａｂ（ｌｉｍｉｔｅｒ２）を設けている。すなわち、
Ｐｍａｎ_ｌｉｍｉｔ０≧Ｐｍｉｎの場合、Ｐｍａｎ_ｌｉｍｉｔ＝Ｐｍａｎ_ｌｉｍｉｔ０＝−Ｐ_ｓｕｎ_ｄｅｔ−Ｐｍａｘ−Ｐｒｅｓ_ｌｉｍｉｔ−Ｐｍａｎ_ｄｉｓである。
【００４７】
これに対してＰｍａｎ_ｌｉｍｉｔ０＜Ｐｍｉｎの場合はＰｍａｎ_ｌｉｍｉｔ＝Ｐｍｉｎとする。
【００４８】
Ｐ_ｓｕｍ：ＰＶ発電システム１００と、ＮＡＳ電池システム２００の、（Ｍ１）充電リセットモード号機と、（Ｍ２）手動充電モード号機と、（Ｍ３）手動放電モード号機とから充放電される受電点電力予測合計値
このＰ_ｓｕｍは、
Ｐ_ｓｕｍ＝Ｐｒｅｓ_ｌｉｍｉｔ＋Ｐｍａｎ_ｌｉｍｉｔ＋Ｐｍａｎ_ｄｉｓ＋Ｐ_ｓｕｎ_ｄｅｔ…（３）で求められる。
【００４９】
すなわち、前記リセット充電電力の最大上限値Ｐｒｅｓ_ｌｉｍｉｔ、手動充電電力の最大上限値Ｐｍａｎ_ｌｉｍｉｔ、手動放電モード号機への手動放電指令値Ｐｍａｎ_ｄｉｓおよびＰＶ発電システム１００の電力検出値Ｐ_ｓｕｎ_ｄｅｔを加算器３１１、３１２、３１３（受電点電力予測合計値演算部）によって加算して得られる。
【００５０】
・Ｐｓｍｉｎ：充電時受電点最小電力設定値
尚、買電を防止する場合では、通常、Ｐｓｍｉｎ＝０とする。
【００５１】
・Ｐ_ａｕｔｏ_ｒｅｆ_ａｄｄ：自動制御モード号機の充放電電力補正加算指令値
このＰ_ａｕｔｏ_ｒｅｆ_ａｄｄは、減算器３２０（充放電電力補正加算指令値演算部）によって、充電時受電点最小電力設定値Ｐｓｍｉｎと受電点電力予測合計値Ｐ_ｓｕｍの偏差をとることで得られる。
【００５２】
このＰ_ａｕｔｏ_ｒｅｆ_ａｄｄは、Ｐｓｍｉｎ≧Ｐ_ｓｕｍの場合ＯＮ制御され、Ｐｓｍｉｎ＜Ｐ_ｓｕｍの場合ＯＦＦ制御されるスイッチＳＷを介して加算器３１０（加算部）に導入され、前記自動制御モード号機の補正前充放電電力指令値Ｐ_ａｕｔｏ_ｒｅｆ_ｂｅｆｏｒｅに加算される。
【００５３】
Ｐｓｍｉｎ≧Ｐ_ｓｕｍの時、自動制御モード号機が放電を行わないと、Ｐ_ｌｉｎｅ_ｄｅｔ＜Ｐｓｍｉｎとなり買電となってしまう。そこで買電を回避、もしくは買電電力・買電時間を抑制するために、スイッチＳＷをＯＮとし、
Ｐ_ａｕｔｏ_ｒｅｆ_ａｄｄ＝Ｐｓｍｉｎ−Ｐ_ｓｕｍ…（４）
として加算器３１０へ加算する。
【００５４】
一方、Ｐｓｍｉｎ＜Ｐ_ｓｕｍの時はＰ_ａｕｔｏ_ｒｅｆ_ａｄｄ＝０とする。
【００５５】
・Ｐ_ａｕｔｏ_ｒｅｆ：補正後の自動制御モード号機の充放電電力指令値
このＰ_ａｕｔｏ_ｒｅｆは下式により計算する。
【００５６】
Ｐ_ａｕｔｏ_ｒｅｆ０＝Ｐ_ａｕｔｏ_ｒｅｆ_ｂｅｆｏｒｅ＋Ｐ_ａｕｔｏ_ｒｅｆ_ａｄｄ…（５）（Ｐ_ａｕｔｏ_ｒｅｆ０はＰ_ａｕｔｏ_ｒｅｆのデフォルト値）
ただし、ＮＡＳ電池システムには充放電電力許容範囲（Ｐｍｉｎ〜Ｐｍａｘ）があるので、リミッタ３０３（ｌｉｍｉｔｅｒ３）を設けている。すなわち、
Ｐｍｉｎ≦Ｐ_ａｕｔｏ_ｒｅｆ０≦Ｐｍａｘの場合、Ｐ_ａｕｔｏ_ｒｅｆ＝Ｐ_ａｕｔｏ_ｒｅｆ０である。
【００５７】
これに対し、Ｐ_ａｕｔｏ_ｒｅｆ０＜Ｐｍｉｎの場合は、Ｐ_ａｕｔｏ_ｒｅｆ＝Ｐｍｉｎとなり、Ｐ_ａｕｔｏ_ｒｅｆ０＞Ｐｍａｘの場合は、Ｐ_ａｕｔｏ_ｒｅｆ＝Ｐｍａｘとなる。
【００５８】
ＮＡＳ電池システム２００の自動制御モード号機は、前記補正後の充放電電力指令値Ｐ_ａｕｔｏ_ｒｅｆとなるように制御が行われる。
【００５９】
以下のＰｓｍｉｎ≧Ｐ_ｓｕｍの時のＰ_ａｕｔｏ_ｒｅｆの補正（自動制御モード号機への放電指令値の上昇）動作により、系統連系システムでの買電を回避、もしくは買電電力・買電時間を抑制する。
【００６０】
すなわち、受電点電力予測合計値Ｐ_ｓｕｍが充電時受電点最小電力設定値Ｐｓｍｉｎ以下になったら、自動制御モード号機の充放電電力指令値Ｐ_ａｕｔｏ_ｒｅｆは補正前充放電電力指令値Ｐ_ａｕｔｏ_ｒｅｆ_ｂｅｆｏｒｅと充放電電力補正加算指令値Ｐ_ａｕｔｏ_ｒｅｆ_ａｄｄが加算された値となるため、自動制御モード号機（２００）の充放電電力が放電方向に急増し、受電点電力検出値Ｐ_ｌｉｎｅ_ｄｅｔの受電点電力指令値Ｐ_ｌｉｎｅ_ｒｅｆからの急変動が抑制され、買電を回避、又は買電電力・買電時間を抑制できる。
【００６１】
例として、下表（表１〜表４）の運転モード（ケース１〜ケース４）とパラメータ値の場合での動作を示す。
【００６２】
【表１】
0006372291.tif 000002
【００６３】
このケース１において、
Ｐｒｅｓ_ｌｉｍｉｔ０＝−Ｐ_ｓｕｎ_ｄｅｔ−Ｐｍａｘ−Ｐｍａｎ_ｄｉｓ
＝−２５ｋＷ−１０ｋＷ−０ｋＷ＝−３５ｋＷである。
【００６４】
ここで、Ｐｒｅｓ_ｌｉｍｉｔ０（−３５ｋＷ）＜Ｐｍｉｎ（−１０ｋＷ）であるためＰｒｅｓ_ｌｉｍｉｔはＰｍｉｎの−１０ｋＷとなる。
【００６５】
またＰｍａｎ_ｌｉｍｉｔ０＝−Ｐ_ｓｕｎ_ｄｅｔ−Ｐｍａｘ−Ｐｒｅｓ_ｌｉｍｉｔ−Ｐｍａｎ_ｄｉｓ＝−２５ｋＷ−１０ｋＷ−（−１０ｋＷ）−０ｋＷ＝−２５ｋＷである。
【００６６】
ここで、Ｐｍａｎ_ｌｉｍｉｔ０（−２５ｋＷ）＜Ｐｍｉｎ（−１０ｋＷ）であるためＰｍａｎ_ｌｉｍｉｔ＝−１０ｋＷとなる。
【００６７】
またＰ_ｓｕｍ＝Ｐｒｅｓ_ｌｉｍｉｔ＋Ｐｍａｎ_ｌｉｍｉｔ＋Ｐｍａｎ_ｄｉｓ＋Ｐ_ｓｕｎ_ｄｅｔ＝−１０ｋＷ−１０ｋＷ＋０ｋＷ＋２５ｋＷ＝５ｋＷである。
【００６８】
ここで、Ｐ_ｓｕｍ＞Ｐｓｍｉｎであるので、スイッチＳＷはＯＦＦであり、Ｐ_ａｕｔｏ_ｒｅｆ_ａｄｄ＝０ｋＷである。
【００６９】
図２の制御ブロック図の追加ブロック部ｘの出力は０ｋＷとなるので、自動制御モード号機（２００）の充放電電力指令値（リミッタ３０３での補正前）への加算はない。
【００７０】
【表２】
0006372291.tif 000003
【００７１】
このケース２では、ケース１と同一の（Ｍ１）、（Ｍ２）、（Ｍ４）の運転モードが選択されているが、ＰＶ発電システム１００の電力検出値Ｐ_ｓｕｎ_ｄｅｔが異なる。
【００７２】
ケース２において、
Ｐｒｅｓ_ｌｉｍｉｔ０＝−Ｐ_ｓｕｎ_ｄｅｔ−Ｐｍａｘ−Ｐｍａｎ_ｄｉｓ
＝−１５ｋＷ−１０ｋＷ−０ｋＷ＝−２５ｋＷである。
【００７３】
ここで、Ｐｒｅｓ_ｌｉｍｉｔ０（−２５ｋＷ）＜Ｐｍｉｎ（−１０ｋＷ）であるためＰｒｅｓ_ｌｉｍｉｔはＰｍｉｎの−１０ｋＷとなる。
【００７４】
またＰｍａｎ_ｌｉｍｉｔ０＝−Ｐ_ｓｕｎ_ｄｅｔ−Ｐｍａｘ−Ｐｒｅｓ_ｌｉｍｉｔ−Ｐｍａｎ_ｄｉｓ＝−１５ｋＷ−１０ｋＷ−（−１０ｋＷ）−０ｋＷ＝−１５ｋＷである。
【００７５】
ここで、Ｐｍａｎ_ｌｉｍｉｔ０（−１５ｋＷ）＜Ｐｍｉｎ（−１０ｋＷ）であるためＰｍａｎ_ｌｉｍｉｔ＝−１０ｋＷとなる。
【００７６】
またＰ_ｓｕｍ＝Ｐｒｅｓ_ｌｉｍｉｔ＋Ｐｍａｎ_ｌｉｍｉｔ＋Ｐｍａｎ_ｄｉｓ＋Ｐ_ｓｕｎ_ｄｅｔ＝−１０ｋＷ−１０ｋＷ＋０ｋＷ＋１５ｋＷ＝−５ｋＷである。
【００７７】
ここで、Ｐ_ｓｕｍ（＝−５ｋＷ）はＰｓｍｉｎ（＝０ｋＷ）より低いので、スイッチＳＷはＯＮとなり、Ｐ_ａｕｔｏ_ｒｅｆ_ａｄｄ＝Ｐｓｍｉｎ−Ｐ_ｓｕｍ＝０ｋＷ−（−５ｋＷ）＝５ｋＷとなる。このため図２の制御ブロック図の追加ブロック部ｘの出力は５ｋＷとなり、この値が自動制御モード号機（２００）の充放電電力指令値（リミッタ３０３での補正前）に加算される。
【００７８】
ケース１とケース２は、ＰＶ発電システム１００の電力検出値が異なる。ケース１の運転状態中にＰ_ｓｕｎ_ｄｅｔの値が減少してケース２となった場合、Ｐ_ａｕｔｏ_ｒｅｆ_ａｄｄが０ｋＷ→５ｋＷと変化する。
【００７９】
これにより、自動制御モード号機（２００）の充放電電力が放電方向に急増加して、日射量低減によるＰ_ｓｕｎ_ｄｅｔの減少電力を補充して、受電点電力検出値Ｐ_ｌｉｎｅ_ｄｅｔの受電点電力指令値Ｐ_ｌｉｎｅ_ｒｅｆからの急変動が抑制されて、買電を回避できる。もしくは買電電力・買電時間を抑制できる。
【００８０】
【表３】
0006372291.tif 000004
【００８１】
このケース３では、ＮＡＳ電池システム２００の各号機の運転モードは（Ｍ１）、（Ｍ３）、（Ｍ４）の運転モードが選択されている。
【００８２】
ケース３において、
Ｐｒｅｓ_ｌｉｍｉｔ０＝−Ｐ_ｓｕｎ_ｄｅｔ−Ｐｍａｘ−Ｐｍａｎ_ｄｉｓ
＝−１５ｋＷ−１０ｋＷ−５ｋＷ＝−３０ｋＷである。
【００８３】
ここで、Ｐｒｅｓ_ｌｉｍｉｔ０（−３０ｋＷ）＜Ｐｍｉｎ（−１０ｋＷ）であるためＰｒｅｓ_ｌｉｍｉｔはＰｍｉｎの−１０ｋＷとなる。
【００８４】
またＰｍａｎ_ｌｉｍｉｔ＝０ｋＷ、手動充電モード（２）がないので、Ｐｍａｎ_ｄｉｓ＝５ｋＷであるため、Ｐ_ｓｕｍは、
Ｐ_ｓｕｍ＝Ｐｒｅｓ_ｌｉｍｉｔ＋Ｐｍａｎ_ｌｉｍｉｔ＋Ｐｍａｎ_ｄｉｓ＋Ｐ_ｓｕｎ_ｄｅｔ＝−１０ｋＷ＋５ｋＷ＋１５ｋＷ＝１０ｋＷとなる。
【００８５】
ここで、Ｐ_ｓｕｍ＞Ｐｓｍｉｎであるので、スイッチＳＷはＯＦＦであり、Ｐ_ａｕｔｏ_ｒｅｆ_ａｄｄ＝０ｋＷである。
【００８６】
図２の制御ブロック図の追加ブロック部ｘの出力は０ｋＷとなるので、自動制御モード号機（２００）の充放電電力指令値（リミッタ３０３での補正前）への加算はない。
【００８７】
【表４】
0006372291.tif 000005
【００８８】
このケース４では、ＮＡＳ電池システム２００の各号機の運転モードは（Ｍ２）、（Ｍ３）、（Ｍ４）の運転モードが選択されている。
【００８９】
ケース４において、
Ｐｍａｎ_ｌｉｍｉｔ０＝−Ｐ_ｓｕｎ_ｄｅｔ−Ｐｍａｘ−Ｐｒｅｓ_ｌｉｍｉｔ−Ｐｍａｎ_ｄｉｓ
＝−１５ｋＷ−１０ｋＷ−０ｋＷ−５ｋＷ＝−３０ｋＷである。
【００９０】
ここで、Ｐｍａｎ_ｌｉｍｉｔ０（−３０ｋＷ）＜Ｐｍｉｎ（−１０ｋＷ）であるためＰｍａｎ_ｌｉｍｉｔはＰｍｉｎの−１０ｋＷとなる。
【００９１】
またＰ_ｓｕｍ＝Ｐｒｅｓ_ｌｉｍｉｔ＋Ｐｍａｎ_ｌｉｍｉｔ＋Ｐｍａｎ_ｄｉｓ＋Ｐ_ｓｕｎ_ｄｅｔ＝０ｋＷ−１０ｋＷ＋５ｋＷ＋１５ｋＷ＝１０ｋＷとなる。
【００９２】
ここで、Ｐ_ｓｕｍ＞Ｐｓｍｉｎであるので、スイッチＳＷはＯＦＦであり、Ｐ_ａｕｔｏ_ｒｅｆ_ａｄｄ＝０ｋＷである。
【００９３】
図２の制御ブロック図の追加ブロック部ｘの出力は０ｋＷとなるので、自動制御モード号機（２００）の充放電電力指令値（リミッタ３０３での補正前）への加算はない。
【００９４】
また、（Ｍ１）充電リセットモード、（Ｍ２）手動充電モード、（Ｍ３）手動放電モードの各号機の制御ブロック図を、図３、図４、図５に示す。
【００９５】
充電リセット号機の制御ブロックを示す図３において、３３１は、充電リセットモード号機内の前記電力検出器１３ａ又は１３ｂ又は１３ｃにより検出された充電リセットモード号機電力検出値Ｐ_ｒｅｓ_ｄｅｔと充電リセット電力許容値Ｐ_ｒｅｓ_ｌｉｍｉｔ（充電リセットモード号機へのリセット充電電力の最大上限値）との偏差をとる減算器であり、３３２は減算器３３１の偏差出力をＰＩ演算するＰＩ演算器である。
【００９６】
ＰＩ演算器３３２の出力はリミッタ３０４（Ｌｉｍｉｔｅｒ４）によって、充電電力指令値の下限リミッタ値Ｐｍｉｎから放電電力指令値の上限リミッタ値Ｐｍａｘの間に制限され、充電リセットモード号機（２００）の電力指令値Ｐ_ｒｅｓ_ｒｅｆが制御演算される。
【００９７】
図１の系統連系システムにおいて、ＮＡＳ電池システムのＮＯ．１号機２００ａが（Ｍ１）充電リセットモードの号機の場合、図３のブロック図では、Ｐ_ｒｅｓ_ｄｅｔ＝Ｐ１_ｄｅｔ、Ｐ_ｒｅｓ_ｒｅｆ＝Ｐ１_ｒｅｆとなる。
【００９８】
手動充電モード号機の制御ブロックを示す図４において、３４１は、手動充電モード号機内の前記電力検出器１３ａ又は１３ｂ又は１３ｃにより検出された手動充電モード号機電力検出値Ｐ_ｍａｎ_ｄｅｔと手動充電電力許容値Ｐ_ｍａｎ_ｌｉｍｉｔ（手動充電モード号機への手動充電電力の最大上限値）との偏差をとる減算器であり、３４２は減算器３４１の偏差出力をＰＩ演算するＰＩ演算器である。
【００９９】
ＰＩ演算器３４２の出力はリミッタ３０５（Ｌｉｍｉｔｅｒ５）によって、充電電力指令値の下限リミッタ値Ｐｍｉｎから放電電力指令値の上限リミッタ値Ｐｍａｘの間に制限され、手動充電モード号機（２００）の電力指令値Ｐ_ｍａｎ_ｒｅｆが制御演算される。
【０１００】
図１の系統連系システムにおいて、ＮＡＳ電池システムのＮＯ．２号機２００ｂが（Ｍ２）手動充電モードの号機の場合、図４のブロック図では、Ｐ_ｍａｎ_ｄｅｔ＝Ｐ２_ｄｅｔ、Ｐ_ｍａｎ_ｒｅｆ＝Ｐ２_ｒｅｆとなる。
【０１０１】
手動放電モード号機の制御ブロックを示す図５において、３５１は、手動放電モード号機内の前記電力検出器１３ａ又は１３ｂ又は１３ｃにより検出された手動放電モード号機電力検出値Ｐ_ｄｉｓ_ｄｅｔと手動放電電力許容値Ｐ_ｍａｎ_ｄｉｓ（手動放電モード号機への手動放電指令値）との偏差をとる減算器であり、３５２は減算器３５１の偏差出力をＰＩ演算するＰＩ演算器である。
【０１０２】
ＰＩ演算器３５２の出力はリミッタ３０６（Ｌｉｍｉｔｅｒ６）によって、手動放電電力指令値の下限リミッタ値Ｐｍｉｎから手動放電電力指令値の上限リミッタ値Ｐｍａｘの間に制限され、手動放電モード号機（２００）の電力指令値Ｐ_ｄｉｓ_ｒｅｆが制御演算される。
【０１０３】
図１の系統連系システムにおいて、ＮＡＳ電池システムのＮＯ．３号機２００ｃが（Ｍ３）手動放電モードの号機の場合、図５のブロック図では、Ｐ_ｄｅｓ_ｄｅｔ＝Ｐ３_ｄｅｔ、Ｐ_ｄｉｓ_ｒｅｆ＝Ｐ３_ｒｅｆとなる。
【０１０４】
以上のように実施例１によれば、受電点電力予測合計値が充電時受電点最小電力設定値以下の場合（Ｐｓｍｉｎ≧Ｐ_ｓｕｍの場合）に図２に示すように自動制御モード号機の充放電電力指令値を補正する制御ブロック（追加ブロック部ｘ）を適用することによって、日射量の急低下などによって生じる受電点電力の急変動を抑制させることができる。これによって、買電を回避、もしくは買電電力・買電時間を抑制させることができる。
【０１０５】
図７に、本発明方式での受電点電力変動のグラフの例を示す。日射量低下前は、実施例１のケース１（表１）の制御モード、日射量低下後は、実施例１のケース２（表２）の制御モードに相当する。
【０１０６】
図７において、図１１の従来方式のグラフと比べて、買電電力と買電時間が抑制・短縮されている。
【実施例２】
【０１０７】
本実施例２では、実施例１の図１のシステム構成から、ＮＡＳ電池システム（２００）の設置台数を３台から２台に変更した。すなわち、２台のＮＡＳ電池システムのうち一方の１台を自動制御モード号機とし、他方の１台を充電リセットモード号機、手動充電モード号機、手動放電モード号機のうちいずれかとして運転を行う。
【０１０８】
また、前記各運転モード号機の制御は実施例１の場合と同様に、図２〜図５の制御ブロックによる制御がなされる。
【０１０９】
本実施例２においても実施例１と同様の動作が行われ、例えば日射量の急低下などによって生じる受電点電力の急変動を抑制させることができ、これによって買電を回避、もしくは買電電力・買電時間を抑制させることができる。
【実施例３】
【０１１０】
本実施例３では、実施例１の図１のシステム構成から、ＮＡＳ電池システム（２００）の設置台数を３台から４台に変更した。すなわち、４台のＮＡＳ電池システムのうち１台を自動制御モード号機とし、その他の３台を充電リセットモード号機、手動充電モード号機、手動放電モード号機として運転を行う。
【０１１１】
また、前記各運転モード号機の制御は実施例１の場合と同様に、図２〜図５の制御ブロックによる制御がなされる。
【０１１２】
本実施例３においても実施例１と同様の動作が行われ、例えば日射量の急低下などによって生じる受電点電力の急変動を抑制させることができ、これによって買電を回避、もしくは買電電力・買電時間を抑制させることができる。
【実施例４】
【０１１３】
図６は本実施例４の系統連系システムの構成を示しており、図６において図１と同一部分は同一符号をもって示している。本実施例４では、実施例１の図１のシステム構成から、ＰＶ発電システム１００の発電電力（Ｐ_ｓｕｎ_ｄｅｔ）を検出する電力検出器１３を除去し、その代わりに受電点電力検出値からＮＡＳ電池システム（２００）の各号機の電力検出値を減算してＰＶ発電システム１００の発電電力を求める演算（Ｐ_ｓｕｎ_ｄｅｔ＝Ｐ_ｌｉｎｅ_ｄｅｔ−Ｐ１_ｄｅｔ−Ｐ２_ｄｅｔ−Ｐ３_ｄｅｔ）を系統安定化装置３７０内で行うように構成した。その他の構成、動作は実施例１と同様である。
【０１１４】
本実施例４によれば、前記実施例１の効果に加えて、ＰＶ発電システム１００の発電電力を検出する電力検出器を省略することができ、装置コストが低減されるという効果が得られる。
【実施例５】
【０１１５】
本実施例５では、実施例４の図６のシステム構成から、ＮＡＳ電池システム（２００）の設置台数を３台から２台に変更した。すなわち、２台のＮＡＳ電池システムのうち一方の１台を自動制御モード号機とし、他方の１台を充電リセットモード号機、手動充電モード号機、手動放電モード号機のうちいずれかとして運転を行う。
【０１１６】
また、前記各運転モード号機の制御は実施例４の場合と同様に、図２〜図５の制御ブロックによる制御がなされる。
【０１１７】
本実施例５においても実施例４と同様の動作が行われ、例えば日射量の急低下などによって生じる受電点電力の急変動を抑制させることができ、これによって買電を回避、もしくは買電電力・買電時間を抑制させることができる。
【実施例６】
【０１１８】
本実施例６では、実施例４の図６のシステム構成から、ＮＡＳ電池システム（２００）の設置台数を３台から４台に変更した。すなわち、４台のＮＡＳ電池システムのうち１台を自動制御モード号機とし、その他の３台を充電リセットモード号機、手動充電モード号機、手動放電モード号機として運転を行う。
【０１１９】
また、前記各運転モード号機の制御は実施例４の場合と同様に、図２〜図５の制御ブロックによる制御がなされる。
【０１２０】
本実施例６においても実施例４と同様の動作が行われ、例えば日射量の急低下などによって生じる受電点電力の急変動を抑制させることができ、これによって買電を回避、もしくは買電電力・買電時間を抑制させることができる。
【符号の説明】
【０１２１】
１０…太陽電池
１１ａ，１１ｂ，１１ｃ…ＮＡＳ電池
１２，１２ａ，１２ｂ，１２ｃ…ＤＣ／ＡＣ変換器
１３，１３ａ，１３ｂ，１３ｃ，２３…電力検出器
１００…ＰＶ発電システム
２００，２００ａ，２００ｂ，２００ｃ…ＮＡＳ電池システム
３０１，３２０，３３１，３４１，３５１…減算器
３０２，３３２，３４２，３５２…ＰＩ演算器
３０３，３０３ａａ，３０３ａｂ，３０４〜３０６…リミッタ
３１０〜３１３…加算器
３６０，３７０…系統安定化装置
【図１】
0006372291.tif 000006
【図２】
0006372291.tif 000007
【図３】
0006372291.tif 000008
【図４】
0006372291.tif 000009
【図５】
0006372291.tif 000010
【図６】
0006372291.tif 000011
【図７】
0006372291.tif 000012
【図８】
0006372291.tif 000013
【図９】
0006372291.tif 000014
【図１０】
0006372291.tif 000015
【図１１】
0006372291.tif 000016